(57)【要約】      （修正有）【課題】害虫を捕獲する捕獲作業を素早く、且つ、容易に行うことができる害虫捕獲具を提供する。【解決手段】害虫捕獲具１は、ペットボトル１０１の口部１０２に着脱可能な捕獲具本体１０と、中栓２１を備えた中栓付きスクレイパー２０を有する。捕獲具本体１０は、中栓２１が嵌まる筒部１１と、筒部１１の一端に設けられた口部装着部１２と、筒部１１の他端に接続されるすくい部１３を備える。口部装着部１２は、口部１０２の外周面に形成された雄ねじ部と螺合する雌ねじ部を備える。中栓付きスクレイパー２０は、筒部１１に中栓２１が嵌まった状態で中栓２１からペットボトル１０１の底部１０４へ向かって延びるスクレイパー２２と、中栓２１からスクレイパー２２とは反対側へ延びる把持部２５と、を備える。【選択図】図３
0003228644.tif 000002
【実用新案登録請求の範囲】
【請求項１】
容器の口部に着脱可能な捕獲具本体と、
中栓を備えた中栓付きスクレイパーと、を有し、
前記捕獲具本体は、前記中栓が嵌まる筒部と、前記筒部の一端に設けられた口部装着部と、前記筒部の他端に接続されるすくい部を備え、
前記中栓付きスクレイパーは、前記筒部に前記中栓が嵌まった状態で前記中栓から前記容器の底部へ向かって延びるスクレイパーと、前記中栓から前記スクレイパーとは反対側へ延びる把持部と、を備えることを特徴とする害虫捕獲具。
【請求項２】
前記スクレイパーは、前記中栓から前記底部へ向かって延びる第１軸部と、前記第１軸部の先端に設けられた捕獲板と、を備え、
前記捕獲板は、前記第１軸部の中心線を含む仮想面の面内方向に延びていることを特徴とする請求項１に記載の害虫捕獲具。
【請求項３】
前記捕獲板の先端縁は、前記第１軸部の中心線に対して傾斜した方向へ直線状に延びていることを特徴とする請求項２に記載の害虫捕獲具。
【請求項４】
前記把持部は、前記中栓から前記第１軸部とは反対側へ延びる第２軸部と、前記第２軸部の先端に設けられた把持板と、を備え、
前記把持板は、前記仮想面の面内方向に延びていることを特徴とする請求項２または３に記載の害虫捕獲具。
【請求項５】
前記すくい部は、
前記筒部の他端に設けられた開口部の縁から前記筒部の中心線に対して傾斜した方向へ延びる底板と、
前記底板の側端および前記開口部の縁から立ち上がる縁部と、を備えることを特徴とする請求項１から４の何れか一項に記載の害虫捕獲具。
【請求項６】
前記底板の先端縁は、直線状であることを特徴とする請求項５に記載の害虫捕獲具。
【請求項７】
前記口部装着部の内周面に、前記口部の外周面に形成された雄ねじ部と螺合する雌ねじ部が設けられていることを特徴とする請求項１から６の何れか一項に記載の害虫捕獲具。
【考案の詳細な説明】
【技術分野】
【０００１】
本考案は、カメムシなどの害虫を捕獲するための害虫捕獲具に関する。
【背景技術】
【０００２】
特許文献１には、カメムシなどの害虫を捕獲する害虫捕獲具が開示されている。特許文献１の害虫捕獲具は、ペットボトルの口部に装着して害虫を捕獲するときに使用するものであり、ペットボトルの口部に挿入される管状の足部と、足部の上端から上方に向かって拡がる滑落部と、滑落部の上端から立ち上がる捕獲部を備える。
【０００３】
特許文献１の害虫捕獲具を使用するときは、害虫が止まっている面に沿って捕獲部の先端を滑らせて、捕獲部で害虫をすくって滑落部の内側へ滑落させる。滑落した害虫は、足部を通ってペットボトル内へ落下する。捕獲後は、中栓を閉めることによってペットボトルから害虫が逃げ出すことを防止する。
【０００４】
特許文献１では、中栓に櫛状のヘラが取り付けられている。床面にいる害虫を捕獲するときには、捕獲具を取り付けたペットボトルを寝かせて床面に捕獲具の上端を当てておき、ヘラ付き中栓を使って害虫を捕獲具の内側に送り込むことができる。
【先行技術文献】
【特許文献】
【０００５】
【特許文献１】特開２０１３−９４１４３号公報
【考案の概要】
【考案が解決しようとする課題】
【０００６】
特許文献１では、ヘラ付き中栓は、中栓の部分を手に持って櫛状のヘラで害虫を捕獲具に送り込む形状になっている。そのため、ペットボトルの口に中栓を差し込むときには、中栓を持った状態からヘラの部分を持った状態に持ち方を変えなければならない。また、捕獲具から中栓を外して害虫を捕獲するときも、同様に、一旦ヘラ付き中栓を持ち変えなければならない。
【０００７】
害虫を捕獲するときには、片手はペットボトルを持って行うため、ヘラ付き中栓を持ち変えるときにもう一方の手を使用できない。従って、素早く捕獲具を使用できない。
【０００８】
以上の問題点に鑑みて、本考案の課題は、害虫を捕獲する捕獲作業を素早く、且つ、容易に行うことができる害虫捕獲具を提供することにある。
【課題を解決するための手段】
【０００９】
上記課題を解決するために、本考案の害虫捕獲具は、容器の口部に着脱可能な捕獲具本体と、中栓を備えた中栓付きスクレイパーと、を有し、前記捕獲具本体は、前記中栓が嵌まる筒部と、前記筒部の一端に設けられた口部装着部と、前記筒部の他端に接続されるすくい部を備え、前記中栓付きスクレイパーは、前記筒部に前記中栓が嵌まった状態で前記中栓から前記容器の底部へ向かって延びるスクレイパーと、前記中栓から前記スクレイパーとは反対側へ延びる把持部と、を備えることを特徴とする。
【００１０】
本考案の害虫捕獲具は、すくい部によって害虫をすくい取り、筒部から容器の内部に落下させることができる。また、中栓付きスクレイパーを用いて、害虫をすくい部の上に送り込むことができる。従って、手で害虫に触ることなく害虫を容易に捕獲でき、捕獲後は
中栓を筒部に嵌めて容器から害虫を逃がさないようにすることができる。また、スクレイパーと把持部は中栓から反対側に延びている。従って、害虫捕獲具を装着した容器を一方の手で持ち、他方の手で把持部を持って中栓付きスクレイパーを抜き取り、逆向きに持ち変えずにそのままスクレイパーによって害虫をすくい部に送り込むことができる。また、害虫を容器内に落下させた後には、中栓付きスクレイパーを逆向きに持ち変えずに、把持部を持ったままスクレイパーを口部へ挿入して筒部に中栓を嵌めることができる。従って、害虫を捕獲する作業を素早く、且つ、容易に行うことができる。
【００１１】
本考案において、前記スクレイパーは、前記中栓から前記底部へ向かって延びる第１軸部と、前記第１軸部の先端に設けられた捕獲板と、を備え、前記捕獲板は、前記第１軸部の中心線を含む仮想面の面内方向に延びていることが好ましい。このようにすると、スクレイパーが口部の中心に配置されるので、中栓付きスクレイパーを着脱するときに口部にスクレイパーが引っ掛かりにくい。また、捕獲板の先端が第１軸部の先端側を向くので、害虫をすくい部の上に送り込みやすい。
【００１２】
本考案において、前記捕獲板の先端縁は、前記第１軸部の中心線に対して傾斜した方向へ直線状に延びていることが好ましい。このように、捕獲板の先端が斜辺になっていると、害虫をすくい部の上に送り込みやすい。
【００１３】
本考案において、前記把持部は、前記中栓から前記第１軸部とは反対側へ延びる第２軸部と、前記第２軸部の先端に設けられた把持板と、を備え、前記把持板は、前記仮想面の面内方向に延びていることが好ましい。このようにすると、捕獲板が把持板と同じ方向を向くので、捕獲板を操作しやすい。
【００１４】
本考案において、前記すくい部は、前記筒部の他端に設けられた開口部の縁から前記筒部の中心線に対して傾斜した方向へ延びる底板と、前記底板の側端および前記開口部の縁から立ち上がる縁部と、を備えることが好ましい。このように、底板が筒部に対して傾いていれば、底板によってすくい上げた害虫を筒部へ落下させやすい。また、底板および開口部を囲むように縁部を設けることにより、害虫を筒部へ落下させようとするときに、害虫がすくい部の外部へ落下するおそれが少ない。
【００１５】
本考案において、前記底板の先端縁は、直線状であることが好ましい。このようにすると、害虫が止まっている面に底板の先端縁を当接させるときに隙間ができにくいので、害虫をすくい部に送り込みやすい。
【００１６】
本考案において、前記口部装着部の内周面に、前記口部の外周面に形成された雄ねじ部と螺合する雌ねじ部が設けられていることが好ましい。このようにすると、口部から害虫捕獲具が脱落しにくい。また、キャップの着脱と同じ操作によって捕獲具本体を容器の口部に装着できるため、容器への捕獲具本体の着脱が容易である。
【考案の効果】
【００１７】
本考案によれば、すくい部によって害虫をすくい取り、筒部から容器の内部に落下させることができる。また、中栓付きスクレイパーを用いて、害虫をすくい部の上に送り込むことができる。従って、手で害虫に触ることなく害虫を容易に捕獲でき、捕獲後は中栓を筒部に嵌めて容器から害虫を逃がさないようにすることができる。また、スクレイパーと把持部は、中栓から反対側に延びている。従って、害虫捕獲具を装着した容器を一方の手で持った状態で、筒部から突出する把持部を他方の手で持って中栓付きスクレイパーを抜き取り、逆向きに持ち変えずにそのままスクレイパーで害虫をすくい部に送り込むことができる。また、害虫を容器内に落下させた後には、中栓付きスクレイパーを逆向きに持ち変えずに、把持部を持ったままスクレイパーを口部へ挿入して筒部に中栓を嵌めることが
できる。従って、害虫を捕獲する作業を素早く、且つ、容易に行うことができる。
【図面の簡単な説明】
【００１８】
【図１】本考案を適用した害虫捕獲具の捕獲具本体の側面図である。
【図２】本考案を適用した害虫捕獲具の中栓付きスクレイパーの側面図である。
【図３】容器付き害虫捕獲具を示す斜視図であり、本考案を適用した害虫捕獲具をペットボトルに装着した状態を示す図である。
【図４】本考案を適用した害虫捕獲具およびペットボトルの口部の断面図である。
【図５】本考案を適用した害虫捕獲具を用いた害虫の捕獲方法を示す側面図である。
【考案を実施するための形態】
【００１９】
以下、図面を参照して、本考案を適用した害虫捕獲具および容器付き害虫捕獲具の実施形態を説明する。本考案の害虫捕獲具は、例えば樹脂で形成され、筒状の口部を備える容器に着脱して使用される。以下に説明する実施形態では、容器の例としてペットボトルを示しているが、容器はペットボトルに限定されるものではない。また、害虫捕獲具を形成する素材は、樹脂以外でもよい。
【００２０】
＜全体構成＞
図１は本考案を適用した害虫捕獲具１の捕獲具本体１０の側面図である。図１（ａ）、図１（ｂ）は、互いに直交する方向から見た図である。また、図２は、本考案を適用した害虫捕獲具１の中栓付きスクレイパー２０の側面図である。図２（ａ）、図２（ｂ）は、互いに直交する方向から見た図である。図３は、容器付き害虫捕獲具１００を示す斜視図であり、本考案を適用した害虫捕獲具１をペットボトル１０１に装着した状態を示す図である。図４は、本考案を適用した害虫捕獲具１およびペットボトル１０１の口部１０２の断面図である。
【００２１】
図３、図４に示すように、害虫捕獲具１は、ペットボトル１０１（容器）の口部１０２に着脱可能な捕獲具本体１０と、捕獲具本体１０に嵌まる中栓２１を備えた中栓付きスクレイパー２０を有する。害虫捕獲具１は、ペットボトル１０１の口部１０２に装着されて容器付き害虫捕獲具１００として使用される。
【００２２】
（捕獲具本体）
図１に示すように、捕獲具本体１０は、円筒状の筒部１１と、筒部１１の一端に設けられた口部装着部１２と、筒部１１の他端に接続される塵取り型のすくい部１３を備える。すくい部１３は、筒部１１から口部装着部１２とは反対側へ延びている。口部装着部１２は筒部１１よりも大径であり、外周面にはすべり止め用の縦リブが形成されている。口部装着部１２の内周面には、雌ねじ部１２ａが形成されている（図４参照）。
【００２３】
図４に示すように、ペットボトル１０１における口部１０２の外周面には、ペットボトル１０１のキャップを着脱するための雄ねじ部１０３が形成されている。雄ねじ部１０３に口部装着部１２の雌ねじ部１２ａを螺合させることによって、口部装着部１２は口部１０２の外周側に装着される。従って、捕獲具本体１０は、ペットボトル１０１にキャップを着脱するのと同じ操作により、ペットボトル１０１に着脱可能である。
【００２４】
本明細書において、筒部１１および口部装着部１２の中心線をＬとし、中心線Ｌに沿う方向の一方側をＬ１とし、他方側をＬ２とする。また、すくい部１３の幅方向をＸとし、幅方向Ｘの一方側をＸ１とし、他方側をＸ２とする（図１（ａ）、図３参照）。幅方向Ｘは、中心線Ｌと直交する。口部装着部１２は、筒部１１の他方側Ｌ２の端部に設けられており、すくい部１３は、筒部１１の一方側Ｌ１の端部に設けられている。図１（ｂ）、図３に示すように、筒部１１の一方側Ｌ１の端部は、中心線Ｌに対して斜めにカットされた
形状をしており、筒部１１の一方側Ｌ１の端部に設けられた開口部１１ａは、中心線Ｌに対して鋭角をなす方向に傾いている。
【００２５】
すくい部１３は、開口部１１ａの一方側Ｌ１の縁から中心線Ｌに対して傾斜した方向へ延びる底板１４と、底板１４の幅方向Ｘの一方側Ｘ１の縁、底板１４の幅方向Ｘの他方側Ｘ２の縁、および、開口部１１ａの他方側Ｌ２の縁から立ち上がる縁部１５を備える。縁部１５は、底板１４および開口部１１ａを３方向から囲んでいる。より詳細には、縁部１５は、底板１４および開口部１１ａを幅方向Ｘの一方側Ｘ１から囲む第１縁部１５ａ、底板１４および開口部１１ａを幅方向Ｘの他方側Ｘ２から囲む第２縁部１５ｂ、および、開口部１１ａを底板１４とは反対側から囲む第３縁部１５ｃを備える。第１縁部１５ａ、第２縁部１５ｂ、および第３縁部１５ｃは周方向に連続して延びている。底板１４の一方側Ｌ１の先端縁１４ａは、幅方向Ｘに直線状に延びている。
【００２６】
（中栓付きスクレイパー）
図２、図３、図４に示すように、中栓付きスクレイパー２０は、円形の中栓２１と、中栓２１からペットボトル１０１の底部１０４へ向かって他方側Ｌ２へ延びるスクレイパー２２を備える。スクレイパー２２は、中栓２１から底部１０４へ向かって他方側Ｌ２へ延びる第１軸部２３と、第１軸部２３の先端に設けられた三角形の捕獲板２４を備える。また、中栓付きスクレイパー２０は、中栓２１からスクレイパー２２とは反対側（一方側Ｌ１）へ延びる把持部２５を備える。把持部２５は、中栓２１から第１軸部２３とは反対側（一方側Ｌ１）へ延びる第２軸部２６と、第２軸部２６の先端に設けられた把持板２７を備える。
【００２７】
中栓付きスクレイパー２０において、第１軸部２３と第２軸部２６は、全体として中栓２１の中心を貫通する１本の軸部を構成している。捕獲具本体１０の筒部１１に中栓２１を嵌めると、第１軸部２３および第２軸部２６の中心線は、筒部１１の中心線Ｌと一致する。中栓付きスクレイパー２０の一方側Ｌ１の端部に設けられた把持板２７、および、中栓付きスクレイパー２０の他方側Ｌ２の端部に設けられた捕獲板２４は、同一面内方向へ延びている。本形態では、把持板２７および捕獲板２４は、中心線Ｌを含む仮想面Ｖ（図２（ｂ）参照）の面内方向へ延びている。
【００２８】
捕獲板２４の先端縁２４ａは、中心線Ｌに対して傾斜した方向へ延びている。捕獲板２４は、先端縁２４ａを斜辺とする直角三角形の板であり、角部はＲ状に面取りされている。把持板２７は、中心線Ｌに沿う方向へ延びる長円形の板であり、中心に長孔２７ａが形成されている。図３に示すように、中栓２１をペットボトル１０１の口部１０２に嵌めると、筒部１１の開口部１１ａから第２軸部２６および把持板２７が一方側Ｌ１へ突出する。
【００２９】
図５は、害虫捕獲具１を用いた害虫Ｇの捕獲方法を示す側面図である。害虫捕獲具１をペットボトル１０１に装着した容器付き害虫捕獲具１００を用いて、壁面２００に止まった害虫Ｇを捕獲する際は、片手に害虫捕獲具１００のペットボトル１０１を持ち、もう一方の手で中栓付きスクレイパー２０の把持部２５を把持して、中栓付きスクレイパー２０を捕獲具本体１０の筒部１１から抜き取る。
【００３０】
次に、捕獲具本体１０が装着されたペットボトル１０１を傾けて、害虫Ｇが止まった壁面２００にすくい部１３の先端縁１４ａを当接させる。続いて、もう一方の手に持った中栓付きスクレイパー２０の捕獲板２４により、壁面２００に止まった害虫Ｇをすくい部１３に送り込む。そして、ペットボトル１０１の口部１０２を上向きにして、すくい部１３に載った害虫Ｇを筒部１１に転落させる。これにより、口部１０２を通って害虫Ｇがペットボトル１０１の底部１０４へ転がり落ちる。
【００３１】
害虫Ｇがペットボトル１０１の内部へ落下したら、中栓付きスクレイパー２０のスクレイパー２２を再び口部１０２へ挿入して、中栓２１を筒部１１に嵌めて口部１０２を塞ぐ。なお、ペットボトル１０１の底部１０４に、図示しない粘着剤を注入しておいてもよい。粘着剤を注入しておけば、捕獲した害虫が粘着剤に捕捉されて動けなくなる。従って、ペットボトル１０１から害虫が逃げ出すおそれを少なくすることができる。
【００３２】
図５に示す捕獲方法は、壁面２００に害虫Ｇが止まっている場合であったが、床面に害虫Ｇが止まっている場合も、同様の作業によって害虫Ｇを捕獲することができる。
【００３３】
（本形態の主な作用効果）
以上のように、本形態の害虫捕獲具１は、ペットボトル１０１の口部１０２に着脱可能な捕獲具本体１０と、中栓２１を備えた中栓付きスクレイパー２０を有する。捕獲具本体１０は、中栓２１が嵌まる筒部１１と、筒部１１の一端に設けられた口部装着部１２と、筒部１１の他端に接続されるすくい部１３を備える。中栓付きスクレイパー２０は、筒部１１に中栓２１が嵌まった状態で中栓２１からペットボトル１０１の底部１０４へ向かって延びるスクレイパー２２と、中栓２１からスクレイパー２２とは反対側へ延びる把持部２５と、を備える。
【００３４】
本形態の害虫捕獲具１は、すくい部１３によって害虫Ｇをすくい取り、筒部１１からペットボトル１０１の内部に落下させることができる。また、中栓付きスクレイパー２０を用いて、害虫Ｇをすくい部１３の上に送り込むことができる。従って、手で害虫Ｇに触ることなく害虫Ｇを容易に捕獲でき、捕獲後は中栓２１を筒部１１に嵌めてペットボトル１０１から害虫Ｇを逃がさないようにすることができる。また、スクレイパー２２と把持部２５は、中栓２１から反対側に延びている。従って、害虫捕獲具１を装着したペットボトル１０１を一方の手で持った状態で、筒部１１から突出する把持部２５を他方の手で持って中栓付きスクレイパー２０を抜き取り、逆向きに持ち変えずにそのままスクレイパー２２で害虫Ｇをすくい部１３に送り込むことができる。また、害虫Ｇをペットボトル１０１内に落下させた後には、中栓付きスクレイパー２０を逆向きに持ち変えずに、把持部２５を持ったままスクレイパー２２を口部１０２へ挿入して筒部１１に中栓２１を嵌めることができる。従って、害虫Ｇを捕獲する作業を素早く、且つ、容易に行うことができる。
【００３５】
本形態のスクレイパー２２は、中栓２１から底部１０４へ向かって延びる第１軸部２３と、第１軸部２３の先端に設けられた捕獲板２４と、を備え、捕獲板２４は、第１軸部２３の中心線Ｌを含む仮想面Ｖの面内方向に延びている。従って、スクレイパー２２が口部１０２の中心に配置されているので、中栓付きスクレイパー２０を着脱するときに口部１０２に引っ掛かりにくい。また、スクレイパー２２の先端が第１軸部２３の先端側を向いているので、捕獲板２４によって害虫Ｇをすくい部１３に送り込みやすい。
【００３６】
本形態において、捕獲板２４の先端縁２４ａは、第１軸部２３の中心線Ｌに対して傾斜した方向へ直線状に延びている。このように、捕獲板２４の先端が斜辺になっていると、害虫Ｇをすくい部１３の上に送りこみやすい。
【００３７】
本形態において、把持部２５は、中栓２１から第１軸部２３とは反対側へ延びる第２軸部２６と、第２軸部２６の先端に設けられた把持板２７と、を備え、把持板２７は、仮想面Ｖの面内方向に延びている。従って、把持板２７と捕獲板２４が同じ方向を向いているので、捕獲板２４を操作しやすい。
【００３８】
本形態において、すくい部１３は、筒部１１の他端に設けられた開口部１１ａの縁から筒部１１の中心線Ｌに対して傾斜した方向へ延びる底板１４と、底板１４の側端および開
口部１１ａの縁から立ち上がる縁部１５と、を備える。従って、底板１４が筒部１１に対して傾いているので、底板１４によってすくい上げた害虫Ｇを筒部１１へ落下させやすい。また、底板１４および開口部１１ａを囲むように縁部１５を設けているので、害虫Ｇを筒部１１へ落下させるときに、害虫Ｇがすくい部１３の外部へ落下するおそれが少ない。
【００３９】
本形態において、すくい部１３の底板１４の先端縁１４ａは、直線状である。従って、害虫Ｇが止まっている面に底板１４の先端縁１４ａを当接させるときに隙間ができにくいので、害虫Ｇをすくい部１３に送り込みやすい。
【００４０】
本形態の害虫捕獲具１は、口部装着部１２の内周面に、口部１０２の外周面に形成された雄ねじ部１０３と螺合する雌ねじ部１２ａが設けられているため、口部１０２から害虫捕獲具１が脱落しにくい。また、キャップの着脱と同じ操作によって捕獲具本体１０をペットボトル１０１の口部１０２に装着できるため、ペットボトル１０１への捕獲具本体１０の着脱が容易である。また、既存のペットボトル１０１の構造をそのまま利用してペットボトル１０１に装着できるため、既存のペットボトル１０１に対して加工を行う必要がなく、簡単に装着することができる。
【符号の説明】
【００４１】
１…害虫捕獲具、１０…捕獲具本体、１１ａ…開口部、１１…筒部、１２…口部装着部、１２ａ…雌ねじ部、１３…すくい部、１４…底板、１４ａ…先端縁、１５…縁部、１５ａ…第１縁部、１５ｂ…第２縁部、１５ｃ…第３縁部、２０…中栓付きスクレイパー、２１…中栓、２２…スクレイパー、２３…第１軸部、２４…捕獲板、２４ａ…先端縁、２５…把持部、２６…軸部、２７…把持板、２７ａ…長孔、１００…容器付き害虫捕獲具、１０１…ペットボトル、１０２…口部、１０３…雄ねじ部、１０４…底部、２００…壁面、Ｌ…中心線、Ｌ１…一方側、Ｌ２…他方側
【図１】
0003228644.tif 000003
【図２】
0003228644.tif 000004
【図３】
0003228644.tif 000005
【図４】
0003228644.tif 000006
【図５】
0003228644.tif 000007